(57)【特許請求の範囲】
【請求項１】
演奏所から送信所にデジタル伝送路を用いてデジタル情報信号を伝送し、上記送信所から上記デジタル情報信号を放送として送信させるデジタル放送システムであって、
上記演奏所は、上記送信所に伝送するデジタル情報信号のビットレートと上記演奏所・送信所間の伝送ビットレートとの差によって生じる期間を、上記送信所にて破棄される意味を持たないダミー信号の伝送期間とし、このダミー信号の伝送期間に、上記送信所の送信処理を制御するための少なくとも変調方式、符号化率、伝送帯域、伝送するデータ種別のいずれかを指定する制御情報を多重して伝送し、
送信所は、上記演奏所から伝送されてきた信号から上記ダミー信号の伝送期間の制御情報と上記本来伝送すべきデジタル情報信号とを分離し、上記分離された制御情報に従って、上記分離された本来伝送すべきデジタル情報信号に対して送信処理を施すことを特徴とするデジタル放送システム。
【請求項２】
演奏所から送信所にデジタル伝送路を用いてデジタル情報信号を伝送し、上記送信所から上記デジタル情報信号を放送として送信させるデジタル放送システムに用いられ、
上記送信所に伝送するデジタル情報信号のビットレートと上記演奏所・送信所間の伝送ビットレートとの差によって生じる期間を、上記送信所にて破棄される意味を持たないダミー信号の伝送期間とし、このダミー信号の伝送期間に、上記送信所の送信処理を制御するための少なくとも変調方式、符号化率、伝送帯域、伝送するデータ種別のいずれかを指定する制御情報を多重する多重手段を具備することを特徴とするデジタル放送用演奏所装置。
【請求項３】
演奏所から送信所にデジタル伝送路を用いてデジタル情報信号を伝送し、上記送信所から放送として送信させるデジタル放送システムに用いられ、
上記演奏所側で、上記送信所に伝送するデジタル情報信号のビットレートと上記演奏所・送信所間の伝送ビットレートとの差によって生じる期間を、上記送信所にて破棄される意味を持たないダミー信号の伝送期間とし、このダミー信号の伝送期間に、上記送信所の送信処理を制御するための少なくとも変調方式、符号化率、伝送帯域、伝送するデータ種別のいずれかを指定する制御情報を多重して伝送するとき、
上記演奏所から伝送されてきた信号から上記ダミー信号の伝送期間の制御情報と上記本来伝送すべきデジタル情報信号とを分離する分離手段と、
それぞれ、上記分離手段によって分離された上記制御情報に従って、上記分離手段によって分離された本来伝送すべきデジタル情報信号に対して送信処理を施す送信処理手段と
を具備することを特徴とするデジタル放送用送信所装置。
【発明の詳細な説明】
【技術分野】
【０００１】
本発明は、デシタル放送時に利用されるデジタル放送システム、及びそのようなデジタル放送用の演奏所装置及び送信所装置に係り、特に、送信所に演奏所から制御する種々の装置が設置された場合の演奏所から送信所への制御情報の伝送に関する。
【背景技術】
【０００２】
現在、テレビジョン放送はアナログ放送であるが、デジタル放送に向けて、各種の開発、研究が行われており、近い将来デジタル放送が開始されると思われる。
【発明の開示】
【発明が解決しようとする課題】
【０００３】
例えば、デジタル放送においては、１つの演奏所が複数のチャンネル（放送プログラム）を同時に提供することが可能となる。そのため、これら複数のチャンネル分のデジタル情報信号を演奏所から送信所に伝送し、送信所においてそれぞれデジタル変調を施して送信するが、この場合、それら各チャンネルが同一の変調方式や符号化率で変調されるとは限らず、また、一つのチャンネルで常に同じ変調方式や符号化率で変調されるとは限らない。即ち、ドラマや映画等の映像とニュース映像とでは、求められる画質に違いがあるからである。
【０００４】
このようなことを考慮すると、送信所にいくつかの変調器を設けて切り替えて使用するとか、変調器のパラメータを変更する等の手法が採られることが予測されるが、その際には、そのような変調器のパラメータ変更等を演奏所側から制御する制御信号を送ることになる。
【０００５】
従って、デジタル放送において、送信所自体に、演奏所から制御する種々の装置が設置されることを仮定した場合、その制御情報を伝送するための伝送路確保が必要である。
【０００６】
本発明は、上記の点に鑑みてなされたもので、デジタル放送において、送信所に演奏所から制御する種々の装置が設置されることを仮定した場合、その制御情報を伝送するための伝送路を確保することができるデジタル放送システム、及びそのようなデジタル放送用の演奏所装置及び送信所装置を提供することを目的とする。
【課題を解決するための手段】
【０００７】
上記の目的を達成するために、本発明によるデジタル放送システムは、演奏所から送信所にデジタル伝送路を用いてデジタル情報信号を伝送する際に、本来伝送すべきデジタル情報信号以外のダミーデジタル信号部に、送信所の装置に対して使用する制御情報を多重して伝送し、
送信所において、上記演奏所から伝送されてきたデジタル伝送信号から上記制御情報を分離して、それに従って当該送信所内の装置を制御することを特徴とする。
【０００８】
また、本発明によるデジタル放送用演奏所装置は、演奏所から送信所にデジタル伝送路を用いてデジタル情報信号を伝送する際に、本来伝送すべきデジタル情報信号以外のダミーデジタル信号部に、送信所の装置に対して使用する制御情報を多重して伝送するためのものであって、上記制御情報と上記本来伝送すべきデジタル情報信号とを時分割で送信所に対して送出する時分割データ伝送手段を備えることを特徴とする。
【０００９】
また、本発明によるデジタル放送用送信所装置は、演奏所から送信所にデジタル伝送路を用いてデジタル情報信号を伝送する際に、本来伝送すべきデジタル情報信号以外のダミーデジタル信号部に、送信所の装置に対して使用する制御情報を多重して伝送し、これを受けて上記本来伝送すべきデジタル情報信号を送信するためのものであって、
上記演奏所から伝送されてきたデジタル伝送信号から上記制御情報と上記本来伝送すべきデジタル情報信号とを分離するデータ分離手段と、
それぞれ、上記データ分離手段によって分離された上記制御情報に従って、上記データ分離手段によって分離された本来伝送すべきデジタル情報信号に対して所定の変調を施す複数のデジタル変調手段と、
それぞれ、上記データ分離手段によって分離された上記制御情報に従って、上記複数のデジタル変調手段によって変調されたデジタル情報信号を送信するための複数のデジタル送信手段と、
を備えることを特徴とする。
【００１０】
即ち、本発明によるデジタル放送システム、デジタル放送用演奏所装置、及びデジタル放送用送信所装置によれば、演奏所から送信所にデジタル伝送路を用いてデジタル情報信号を伝送する際に、本来伝送すべきデジタル情報信号以外のダミーデジタル信号部に、送信所の装置に対して使用する制御情報を多重して伝送し、送信所では、この演奏所から伝送されてきたデジタル情報信号から上記制御情報を分離して、それに従って当該送信所内の装置を制御するようにしている。
【００１１】
従って、デジタル放送において、送信所に演奏所から制御する種々の装置が設置されることを仮定した場合、その制御情報を伝送するための伝送路を確保することができるようになる。
【発明の効果】
【００１２】
本発明によれば、デジタル放送において、送信所に演奏所から制御する種々の装置が設置されることを仮定した場合、その制御情報を伝送するための伝送路を確保することができるデジタル放送システム、及びそのようなデジタル放送用の演奏所装置及び送信所装置を提供することができる。
【発明を実施するための最良の形態】
【００１３】
以下、本発明の一実施の形態を図面を参照して説明する。
【００１４】
図１は本発明の一実施の形態にかかるデジタル放送システムの構成を示すブロック図であり、該デジタル放送システムは、演奏所１０と送信所２０とから構成される。そして、演奏所１０には、時分割データ伝送装置１１が設置され、送信所２０には、データ分離装置２１、複数のデジタル変調器２２Ａ，２２Ｂ、複数のデジタル送信機２３Ａ，２３Ｂ、等が設置されている。
【００１５】
当該演奏所１０において図示しない装置によって生成された制御情報は、上記送信所２０内に構成された各種装置、例えばデジタル変調器２２Ａ，２２Ｂやデジタル送信機２３Ａ，２３Ｂを制御するためのものである。例えば、デジタル変調器２２Ａ，２２Ｂに関しては、複数の伝送路の容量を決定するための変調方式・符号化率・伝送帯域の指定、各伝送路で伝送するデータ種別の指定、等が考えられ、デジタル送信機２３Ａ，２３Ｂに関しては、送信機の運転モードの指定（自動運転／遠隔制御運転）、使用送信機の指定、電源供給系統の指定（商用発電／自家発電）、等が考えられる。
【００１６】
また、演奏所１０の時分割データ伝送装置１１は、上記制御情報と、当該演奏所１０において図示しない装置によって生成されるデジタル情報信号とを時分割で上記送信装置２０に伝送するものである。なお、この時分割データ伝送装置１１に供給されるデジタル情報信号は、動画像，アナウンス音声，付属データ，等の実時間情報信号や静止画像や文章等の非実時間情報信号が時分割多重された本来伝送すべきデジタル情報信号である。このような本来伝送すべきデジタル情報信号のビットレートと演奏所・送信所間の伝送ビットレートとに差がある場合、その伝送路上を伝送されるデジタル伝送信号としては、演奏所生成の上記実時間及び非実時間情報信号の他に、意味を持たないダミーデジタル信号部を送出することになる。このダミーデジタル信号部は、送信所２０においては捨てられてしまうため、そこを利用することにより、演奏所１０と送信所２０の間で余分にデジタル情報信号を伝送することができる。そこで、時分割データ伝送装置１１により、そのダミーデジタル信号部に、上記制御情報を重畳して伝送する。
【００１７】
このようなデジタル化された制御情報が重畳されたデジタル伝送信号を受ける送信所２０においては、データ分離装置２１により、この制御情報と本来伝送すべきデジタル情報信号とを分離する。そして、この分離した制御情報を、複数のデジタル変調器２２Ａ，２２Ｂ及び複数のデジタル送信機２３Ａ，２３Ｂそれぞれに供給する。
【００１８】
また、デジタル情報信号については、例えば直交周波数分割多重方式の複数のデジタル変調器２２Ａ，２２Ｂに供給し、上記制御情報に従って、それぞれ適切な変調を施して、デジタル送信機２３Ａ，２３Ｂに出力する。そして、これらデジタル送信機２３Ａ，２３Ｂは、上記制御情報、例えば使用送信機指定に従って、供給された変調出力を送信する。
【００１９】
以上のように、ダミーデジタル信号部に制御情報を重畳しておき、送信所２０において、その制御情報を伝送されてきたデジタル伝送信号から分離し、送信所にある各種装置を制御する。なお、演奏所・送信所間の伝送容量が４０Ｍｂｐｓの場合、デジタル情報信号を２５Ｍｂｐｓとすれば、残り１５Ｍｂｐｓを制御情報の伝送に利用することができる。
【００２０】
このようにすることで、デジタル放送において、送信所自体に、演奏所から制御する種々の装置が設置されることを仮定した場合、その制御情報を伝送するための伝送路を確保できる。
【００２１】
以上、一実施の形態に基づいて本発明を説明したが、本発明は上述した一実施の形態に限定されるものではなく、本発明の要旨の範囲内で種々の変形や応用が可能なことは勿論である。
【００２２】
例えば、上記実施の形態では、演奏所１０の時分割データ伝送装置１１に供給されるデジタル情報信号を、実時間情報信号と非実時間情報信号とが時分割で供給されるものとしたが、何れか一方であって、該時分割データ伝送装置１１の後段で、その他方と時分割多重して送信所２０に伝送するものであっても良い。
【００２３】
尚、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００２４】
【図１】本発明の一実施の形態にかかるデジタル放送システムの構成を示すブロック図。
【符号の説明】
【００２５】
１０  演奏所
１１  時分割データ伝送装置
２０  送信所
２１  データ分離装置
２２Ａ，２２Ｂ  デジタル変調器
２３Ａ，２３Ｂ  デジタル送信機
【図１】
0004791994.tif 000002